(57)【特許請求の範囲】
【請求項１】
滑り止め基台と、その滑り止め基台に回転可能および振子型運動可能に連結した機能体とを含む取付具であって、
（Ａ）前記滑り止め基台が
（１）前記機能体の連結端部球状体を回転可能に固定して包むと共に前記機能体の振子型運動を可能にするスリットを有するドーム部を備えたドーム担持面と、そのドーム担持面の反対側で被巻付け体表面に対向させる取付面とを有するベース部、
（２）前記ベース部の前記取付面側に設けた収納室に収納され、その収納室から突出した露出部に、前記被巻付け体表面に密着させる接触面を有する滑り止め部、および
（３）前記ベース部と前記滑り止め部との間に介在し、両者を連結固定する連結プレート部
を含むこと、
（Ｂ）前記滑り止め部が、前記接触面を含む滑り止めプレート部の全周縁部に、前記接触面の反対側方向に立設する全周フェンス部を有すると共に、その全周フェンス部の先端に、内側方向に曲げて設けた全周フランジ部を有し、前記滑り止めプレート部と前記全周フェンス部と前記全周フランジ部との各内側表面によって形成された全周内側嵌合溝部に、前記連結プレート部の端縁部全周が嵌め込まれていること、
（Ｃ）前記連結プレート部が、プラスチック材料からなり、ベース部側の表面から相互に平行に立設する少なくとも１対の係止小柱部を備え、前記係止小柱部の各先端に相互に離間する反対方向に突出する係止突起部を備えること、
（Ｄ）前記ベース部は、機能体挿入貫通開口部とドーム底部開口部とが前記スリットの一方の端部で相互に連絡して形成された２穴連結型開口部を備え、ドーム底部開口部は、前記機能体の連結端部球状体を通過させる口径を有すること、
（Ｅ）前記２穴連結型開口部の対向する両端部壁面に相当する機能体挿入貫通開口部壁面およびドーム底部開口部壁面には、前記連結プレート部を、前記取付面側から前記ドーム担持面側の方向に前記２穴連結型開口部に挿入した際に、前記係止小柱部を内側方向に撓めながら前記係止突起部を案内する摺動ガイド溝を有すること、
（Ｆ）前記摺動ガイド溝の前記ドーム担持面側の端部表面に設けられたストッパー溝に、前記係止突起部が係止され、前記係止突起部が前記装入方向とは反対側へ戻ることが禁止されていること、
（Ｇ）前記連結プレート部によって、少なくとも前記ドーム底部開口部が閉鎖されていること、
（Ｈ）前記滑り止め部が、弾性変形可能な軟質材料からなること
を特徴とする、前記取付具。
【請求項２】
前記機能体が、吊下手段、懸下手段、係止手段、把持手段、運搬手段、保持手段、支持手段、展示手段、保存手段、または連結手段である、請求項１に記載の取付具。
【請求項３】
前記連結プレート部を前記収納室の所定位置に位置合わせする手段として、相互に嵌合可能な小突起部と穴部との組合せを、前記収納室の底面と連結プレート部の表面とに設ける、請求項１または２に記載の取付具。
【請求項４】
前記滑り止め基台と前記連結プレート部との間、および前記連結プレート部と前記滑り止め部との間に、液漏れを発生する量の接着剤を使用しない、請求項1〜３のいずれか一項に記載の取付具。
【請求項５】
前記滑り止め基台と前記連結プレート部との間、および前記連結プレート部と前記滑り止め部との間に、接着剤を使用しない、請求項1〜３のいずれか一項に記載の取付具。
【請求項６】
被巻付け体にベルトで巻き付けて装着可能な、請求項1〜５のいずれか一項に記載の取付具。
【請求項７】
取付具に用いる滑り止め基台の組立セットであって、
（Ａ）前記組立セットが
（１）機能体の連結端部球状体を回転可能に固定して包むことができると共に前記機能体の振子型運動を可能にするスリットを有するドーム部を一方の表面に有し、被巻付け体表面に対向させる反対側表面に収納室を有するベース部、
（２）前記ベース部の前記収納室に収納可能で、その収納室から突出した露出部に、被巻付け体表面に密着させる接触面を有する滑り止め部、および
（３）前記ベース部と前記滑り止め部との間に介在し、両者を連結固定する連結プレート部
を含むこと、
（Ｂ）前記滑り止め部が、前記接触面を含む滑り止めプレート部の全周縁部に、前記接触面の反対側方向に立設する全周フェンス部を有すると共に、その全周フェンス部の先端に、内側方向に曲げて設けた全周フランジ部を有し、前記滑り止めプレート部と前記全周フェンス部と前記全周フランジ部との各内側表面によって形成された全周内側嵌合溝部に、前記連結プレート部の端縁部全周を嵌め込むことができること、
（Ｃ）前記連結プレート部が、プラスチック材料からなり、ベース部側の表面から相互に平行に立設する少なくとも１対の係止小柱部を備え、前記係止小柱部の各先端に相互に離間する反対方向に突出する係止突起部を備えること、
（Ｄ）前記ベース部は、機能体挿入貫通開口部とドーム底部開口部とが前記スリットの一方の端部で相互に連絡して形成された２穴連結型開口部を備え、ドーム底部開口部は、前記機能体の連結端部球状体を通過させる口径を有すること、
（Ｅ）前記２穴連結型開口部の対向する両端部壁面に相当する機能体挿入貫通開口部壁面およびドーム底部開口部壁面には、前記連結プレート部を、前記取付面側から前記ドーム担持面側の方向に前記２穴連結型開口部に挿入した際に、前記係止小柱部を内側方向に撓めながら前記係止突起部を案内することができる摺動ガイド溝を有すること、
（Ｆ）前記摺動ガイド溝の前記ドーム担持面側の端部表面に、前記係止突起部が係止し、更に前記係止突起部が前記装入方向とは反対側へ戻ることを禁止するストッパー溝が設けられていること、および
（Ｇ）前記連結プレート部によって、少なくとも前記ドーム底部開口部が閉鎖可能であること、
（Ｈ）前記滑り止め部が、弾性変形可能な軟質材料からなること
を特徴とする、前記組立セット。
【発明の詳細な説明】
【技術分野】
【０００１】
本発明は、取付具、および滑り止め基台の組立セットに関する。
【背景技術】
【０００２】
ベビーカー用の吊下フック具は、ハンドルバー（ベビーカーを走行させる際に手で握って進行方向へ押す横方向バー）などにベルトで巻き付け、ベルト表面の面ファスナーを貼り合わせて固定して利用されている。ベビーカーでは、こうした吊下フック具を、水平な横方向バーだけでなく、図１７に示すように、水平面から傾斜したバー７１にベルト７２を巻き付けて吊下フック具７０を取り付ける利用形態も増加している。上方に位置する水平ハンドルバーに吊下フック具を巻き付けて装着して、重い荷物を吊り下げるとベビーカーが転倒し易くなるので、傾斜したサイドフレームバー７１などの下方に吊下フック具７０を装着して荷物を吊り下げる要求があるからである。こうした要求に応えて、フック部７３が矢印Ｒの方向に３６０度回転可能であるだけでなく、吊下フック具７０の基台７４が傾斜した場合でも、フック部７３を矢印Ｓの方向に１８０度回転可能にして垂直方向に懸下させる構造が利用されており、更に基台７４が傾斜バー上でずれて落ちないように滑り止め手段７５を設けることも広く行われている。
【０００３】
滑り止め手段を備えた吊下フック具としては、例えば、従来から、図１８に示すように、被巻付け棒状体（例えば、傾斜バー）と接触させる取付面７７Ｘの両端に、一対の滑り止め小片７８を対向させて設けた吊下フック具７０Ｘ（特許文献１の図７参照）や、図１９に示すように、被巻付け棒状体と接触させる取付面７７Ｙの全体に矩形状滑り止め層８１を設けた吊下フック具７０Ｙ（特許文献２の図１０参照）が知られている。
【０００４】
図１８に示す滑り止め小片７８を設けた前記吊下フック具７０Ｘでは、滑り止め小片７８が取付ベース部８２Ｘから容易に外れないようにするために、例えば、滑り止め小片７８の側面にリブを設け、滑り止め小片７８を深さ方向に長くして取付ベース部８２Ｘに深く差し込み、更に、滑り止め小片７８として高硬度材料を使用して熱変化による変形からの脱離を防止するなどの手法が利用されていたが、取付ベース部８２Ｘに対する滑り止め小片７８の固定は不十分であった。しかも、滑り止め小片７８と被巻付け棒状体との接触面積も少ないため、滑り止め効果も不十分であった。更に、気温及び湿度の変化による影響を抑えるために、高硬度材料を使用すると滑り止め効果が制限され、滑り止め効果の向上を図って硬度を下げると、気温及び湿度の変化による影響から変形して脱落が起きやすくなるという欠点もあった。
【０００５】
これに対して、図１９に示す吊下フック具７０Ｙでは、被巻付け棒状体との接触面積が広いため、滑り止め効果が向上する。また、滑り止め層８１の脱落防止手段として、滑り止め層８１の裏面全体に接着剤を塗り、滑り止め層８１を取付ベース部８２Ｙに強固に貼着させることができるので、高い滑り止め効果を要求される用途においては、図１９に示す吊下フック具７０Ｙに接着剤を利用する態様が実用化されている。しかしながら、特に振子型運動が可能な吊下フック具において、滑り止め層８１の固定に接着剤を用いると、接着剤漏れによる不良品の発生率が高くなり、歩留まりが悪化するという欠点があった。特に、振子型運動可能な吊下フック具において接着剤を用いると、その製造工程が極めて煩雑になるという欠点もあった。
これらの欠点を、図１９に示す従来の振子運動可能な吊下フック具７０Ｙに沿って以下に説明する。
【０００６】
図１９に示す吊下フック具７０Ｙは、主に、取付ベース部８２Ｙ、矩形状滑り止め層８１、フック部７３Ｙ、及びベルト部７２Ｙを含んでいる。このような吊下フック具７０Ｙは、例えば、以下の図２０（ａ）〜図２０（ｆ）に示す方法によって製造されている。
最初に、図２０（ａ）に示すように、取付ベース部８２Ｙとフック部７３Ｙとを用意する。取付ベース部８２Ｙは、被巻付け棒状体（図示せず）の表面に対向させる取付面７７Ｙを有し、その反対側表面にドーム担持面８５を含む〔図２０（ｂ）参照〕。図２０（ｂ）に示すように、ドーム担持面８５は、その中央に半球状ドーム部８７を備え、ドーム部８７は、その中央部を一方の端部から他方の端部まで半球面に沿って完全に横断するスリット８８を有する。ドーム部８７は、その内部中央部に球状収納室８９を備え、フック部７３Ｙの連結端部球状体９１を包み込んで回転可能に保持することができる。すなわち、フック部７３Ｙは、図１９の矢印Ｒで示す方向に３６０度の回転が可能である。また、フック部７３Ｙは、連結端部球状体９１とフック本体部９２との間のネック部９３で外径が細くなっており、その細径ネック部９３は前記スリット８８の間隙を通過することができるが、前記スリット８８の間隙は、連結端部球状体９１の外径およびフック本体部９２の外径よりも狭いので、両者を通過させない。従って、フック部７３Ｙの振子型往復運動が可能になる。すなわち、フック部７３Ｙは、図１９の矢印Ｓで示す方向に１８０度の回転が可能である。
【０００７】
次に、図２０（ｃ）に示すように、フック部７３Ｙの連結端部球状体９１を、取付ベース部８２Ｙの挿入貫通開口部９４から挿入して取付面７７Ｙ側に突出させ、続いて、図２０（ｄ）に示すように、突出した連結端部球状体９１をドーム底部開口部９５から球状収納室８９の内部に移動させる。その際に、細径ネック部９３が、挿入貫通開口部９４から、前記スリット８８の連結端部９０を通過して、前記スリット８８に入り込むので、フック部７３Ｙの全体をドーム部８７に移動させることができる。こうして、図２０（ｅ）に示すように、フック部７３Ｙが取付ベース部８２Ｙから垂直方向に吊下り、フック部７３Ｙが矢印Ｒに示す方向に回転可能で、矢印Ｓに示す方向に振子型の往復運動が可能な状態で収納される。
【０００８】
続いて、図２０（ｅ）に示すように、取付ベース部８２Ｙの２穴連結型開口部９６に閉鎖蓋部９７を嵌め込み、前記２穴連結型開口部９６を閉鎖すると、図２０（ｆ）に示すように、球状収納室８９の底面が閉鎖されるので、連結端部球状体９１が球状収納室８９の外側に飛び出さずに、内部に収納されることになる。また、閉鎖蓋部９７は、２穴連結型開口部９６を閉鎖して収納室７９の底面８０を形成することにもなり、取付ベース部８２Ｙの取付面７７Ｙに、矩形状滑り止め層８１の収納室７９が形成される。次に、図２０（ｆ）に示すように、収納室７９の底面８０および／または矩形状滑り止め部８１の貼着面に接着剤を塗布し、矩形状滑り止め部８１を収納室７９の底面８０に貼着することによって、図１９に示す吊下フック具７０Ｙが製造される。
【０００９】
しかしながら、この吊下フック具７０Ｙは、２穴連結型開口部９６と閉鎖蓋部９７との隙間からドーム部８７の球状収納室８９に接着剤が漏れ出すことがあった。接着剤の液だれが起きると、その部分が白化し、不良品となる。また、接着剤の液だれを防止するためには、液漏れの原因となる隙間が形成されないように、閉鎖蓋部９７の寸法を極めて精巧に成形する必要があるか、あるいは２穴連結型開口部９６の寸法に対して若干大きめの閉鎖蓋部９７を用意し、ハンマーで叩き込んで嵌め合わせる工程が必要であった。特に、ハンマー叩込工程は、１ｃｍ×２ｃｍ程度のプラスチック製扁平小片をハンマーで叩いて強い押圧力を与えて押し込む操作であり、高い集中力が要求される煩雑なものであった。更に、接着剤の液だれは、矩形状滑り止め層の収納室７９の四周からも発生することがあるため、十分な接着力を保証しながら液だれを発生しない量で接着剤を塗布する工程も高い集中力が要求され、煩雑であった。また、接着剤の液だれを完全に防止することは極めて困難で、不良品が必ず発生するため、歩留まりの向上が求められていた。
【先行技術文献】
【特許文献】
【００１０】
【特許文献１】国際公開第２００２／０４０７６３号
【特許文献２】国際公開第２０１４／０３０４０２号
【発明の概要】
【発明が解決しようとする課題】
【００１１】
本発明者は、滑り止め手段を備えた振子型運動可能な吊下フック具における従来技術の前記欠点を解消するために、鋭意研究を重ねた結果、前記吊下フック具の特異な構造に注目し、その特異な構造を利用して、接着剤を使用せずに、広い滑り止め面を備えると共に脱落も起きない吊下フック具を開発することに成功した、また、その手法を一般的な滑り止め基台に適用して、取付具に広く応用することができることも見出した。
【課題を解決するための手段】
【００１２】
本発明は、滑り止め基台と、その滑り止め基台に回転可能および振子型運動可能に連結した機能体とを含む取付具であって、
（Ａ）前記滑り止め基台が
（１）前記機能体の連結端部球状体を回転可能に固定して包むと共に前記機能体の振子型運動を可能にするスリットを有するドーム部を備えたドーム担持面と、そのドーム担持面の反対側で被巻付け体表面に対向させる取付面とを有するベース部、
（２）前記ベース部の前記取付面側に設けた収納室に収納され、その収納室から突出した露出部に、前記被巻付け体表面に密着させる接触面を有する滑り止め部、および
（３）前記ベース部と前記滑り止め部との間に介在し、両者を連結固定する連結プレート部
を含むこと、
（Ｂ）前記滑り止め部が、前記接触面を含む滑り止めプレート部の全周縁部に、前記接触面の反対側方向に立設する全周フェンス部を有すると共に、その全周フェンス部の先端に、内側方向に曲げて設けた全周フランジ部を有し、前記滑り止めプレート部と前記全周フェンス部と前記全周フランジ部との各内側表面によって形成された全周内側嵌合溝部に、前記連結プレート部の端縁部全周が嵌め込まれていること、
（Ｃ）前記連結プレート部が、可撓性材料からなり、ベース部側の表面から相互に平行に立設する少なくとも１対の係止小柱部を備え、前記係止小柱部の各先端に相互に離間する反対方向に突出する係止突起部を備えること、
（Ｄ）前記ベース部は、機能体挿入貫通開口部とドーム底部開口部とが前記スリットの一方の端部で相互に連絡して形成された２穴連結型開口部を備え、ドーム底部開口部は、前記機能体の連結端部球状体を通過させる口径を有すること、
（Ｅ）前記２穴連結型開口部の対向する両端部壁面に相当する機能体挿入貫通開口部壁面およびドーム底部開口部壁面には、前記連結プレート部を、前記取付面側から前記ドーム担持面側の方向に前記２穴連結型開口部に挿入した際に、前記係止小柱部を内側方向に撓めながら前記係止突起部を案内する摺動ガイド溝を有すること、
（Ｆ）前記摺動ガイド溝の前記ドーム担持面側の端部表面に設けられたストッパー溝に、前記係止突起部が係止され、前記係止突起部が前記装入方向とは反対側へ戻ることが禁止されていること、
（Ｇ）前記連結プレート部によって、少なくとも前記ドーム底部開口部が閉鎖されていることを特徴とする、前記取付具に関する。
【００１３】
本発明による取付具の好ましい態様においては、前記機能体が、吊下手段、懸下手段、係止手段、把持手段、運搬手段、保持手段、支持手段、展示手段、保存手段、または連結手段である。
【００１４】
本発明による取付具の別の好ましい態様においては、前記連結プレート部を前記収納室の所定位置に位置合わせする手段として、相互に嵌合可能な小突起部と穴部との組合せを、前記収納室の底面と連結プレート部の表面とに設ける。
【００１５】
本発明による取付具の更に別の好ましい態様においては、前記滑り止め基台と前記連結プレート部との間、および前記連結プレート部と前記滑り止め部との間に、液漏れを発生する量の接着剤を使用しない。
【００１６】
本発明による取付具の更に別の好ましい態様においては、前記滑り止め基台と前記連結プレート部との間、および前記連結プレート部と前記滑り止め部との間に、接着剤を使用しない。
【００１７】
本発明による取付具の更に別の好ましい態様においては、被巻付け体にベルトで巻き付けて装着可能である。
【００１８】
また、本発明は、取付具に用いる滑り止め基台の組立セットであって、
（Ａ）前記組立セットが
（１）機能体の連結端部球状体を回転可能に固定して包むことができると共に前記機能体の振子型運動を可能にするスリットを有するドーム部を一方の表面に有し、被巻付け体表面に対向させる反対側表面に収納室を有するベース部、
（２）前記ベース部の前記収納室に収納可能で、その収納室から突出した露出部に、被巻付け体表面に密着させる接触面を有する滑り止め部、および
（３）前記ベース部と前記滑り止め部との間に介在し、両者を連結固定する連結プレート部
を含むこと、
（Ｂ）前記滑り止め部が、前記接触面を含む滑り止めプレート部の全周縁部に、前記接触面の反対側方向に立設する全周フェンス部を有すると共に、その全周フェンス部の先端に、内側方向に曲げて設けた全周フランジ部を有し、前記滑り止めプレート部と前記全周フェンス部と前記全周フランジ部との各内側表面によって形成された全周内側嵌合溝部に、前記連結プレート部の端縁部全周を嵌め込むことができること、
（Ｃ）前記連結プレート部が、可撓性材料からなり、ベース部側の表面から相互に平行に立設する少なくとも１対の係止小柱部を備え、前記係止小柱部の各先端に相互に離間する反対方向に突出する係止突起部を備えること、
（Ｄ）前記ベース部は、機能体挿入貫通開口部とドーム底部開口部とが前記スリットの一方の端部で相互に連絡して形成された２穴連結型開口部を備え、ドーム底部開口部は、前記機能体の連結端部球状体を通過させる口径を有すること、
（Ｅ）前記２穴連結型開口部の対向する両端部壁面に相当する機能体挿入貫通開口部壁面およびドーム底部開口部壁面には、前記連結プレート部を、前記取付面側から前記ドーム担持面側の方向に前記２穴連結型開口部に挿入した際に、前記係止小柱部を内側方向に撓めながら前記係止突起部を案内することができる摺動ガイド溝を有すること、
（Ｆ）前記摺動ガイド溝の前記ドーム担持面側の端部表面に、前記係止突起部が係止し、更に前記係止突起部が前記装入方向とは反対側へ戻ることを禁止するストッパー溝が設けられていること、および
（Ｇ）前記連結プレート部によって、少なくとも前記ドーム底部開口部が閉鎖可能であること
を特徴とする、前記組立セットにも関する。
【発明の効果】
【００１９】
本発明による取付具は、広い接触面を有する滑り止め部を連結プレート部に嵌め込んで一体化する操作が単純かつ簡単で、両者を一体化した滑り止めプレート部をベース部に嵌め込む操作も単純かつ簡単であり、従って、取付具の組み立て工程全体が極めて簡単である。それにもかかわらず、広い接触面を有する滑り止め部を極めて強固にベース部に連結させることができる。
また、本発明による取付具では、滑り止め部の固定に連結プレート部を使用し、接着剤を用いる必要がないので、接着剤の液漏れが発生せず、歩留まりが向上するだけでなく、接着剤の乾燥工程が不要になって製造時間が短縮し、製造コストが低減化される。更に、連結プレート部によってドーム底部開口部が閉鎖されるので、従来法で寸法を精密に制御して成形していた閉鎖蓋部の製造それ自体が不要になり、閉鎖蓋部のハンマー打込み工程も不要になる。
【図面の簡単な説明】
【００２０】
【図１】本発明による吊下フック具の斜視図である。
【図２】図１に示す吊下フック具を底面側から観察した斜視図である。
【図３】図１および図２に示す吊下フック具の分解斜視図である。
【図４】図３のベース部をドーム担持面側から観察した斜視図である。
【図５】図３のベース部をドーム担持面側から観察した底面図である。
【図６】図３の滑り止め部を図３とは別の方向から観察した斜視図である。
【図７】図３の滑り止め部のＢ−Ｂ’線断面図である。
【図８】図３の連結プレート部を図３とは別の方向から観察した斜視図である。
【図９】図３の連結プレート部のＣ−Ｃ’線断面図である。
【図１０】図３のベース部を取付面側から観察した平面図である。
【図１１】図３のベース部のＤ−Ｄ’線断面図である。
【図１２】ベース部の別の態様の斜視図である。
【図１３】図１に示す吊下フック具のＡ−Ａ’線断面図である。
【図１４】滑り止めプレート部を仮収納体に嵌め込む前の状態を示す断面図である。
【図１５】機能体としてハンドルを含む本発明の取付具の斜視図である。
【図１６】機能体としてホルダーを含む本発明の取付具の斜視図である。
【図１７】従来の吊下フック具の斜視図である。
【図１８】一対の滑り止め小片を対向させて設けた従来の吊下フック具の斜視図である。
【図１９】矩形状滑り止め層を設けた従来の吊下フック具の斜視図である。
【図２０（ａ）】矩形状滑り止め層を設けた従来の吊下フック具の製造方法を示した説明図である。
【図２０（ｂ）】矩形状滑り止め層を設けた従来の吊下フック具の製造方法を示した説明図である。
【図２０（ｃ）】矩形状滑り止め層を設けた従来の吊下フック具の製造方法を示した説明図である。
【図２０（ｄ）】矩形状滑り止め層を設けた従来の吊下フック具の製造方法を示した説明図である。
【図２０（ｅ）】矩形状滑り止め層を設けた従来の吊下フック具の製造方法を示した説明図である。
【図２０（ｆ）】矩形状滑り止め層を設けた従来の吊下フック具の製造方法を示した説明図である。
【発明を実施するための形態】
【００２１】
本発明による取付具の１実施態様である吊下フック具に関して、図面に沿って以下に説明する。
図１及び図２は、本発明による吊下フック具１０の斜視図であり、図３は、その分解斜視図である。吊下フック具１０は、滑り止め基台１、機能体としてのフック部１１Ａ、およびベルト１７を含む。滑り止め基台１は、ベース部２と滑り止め部４と連結プレート部６とを含む。
【００２２】
ベース部２は大略平板状で、その一方の表面は、ドーム担持面２１であり、反対側の表面は、被巻付け体表面に対向させる取付面２５である。ドーム担持面２１は、半球状のドーム部２２を備え、図４及び図５に示すように、ドーム部２２は、その中央部を一方の連結端部３３から他方の閉鎖端部３４まで半球面に沿って完全に横断するスリット２３を有する。ドーム部２２は、ドーム担持面２１の略中央に位置させることが好ましい。ドーム部２２は、その内部中央部に球状収納室２４を備え、フック部１１Ａの連結端部球状体１３を脱落不能に包み込んで閉じ込め、しかも回転可能に保持することができる。すなわち、フック部１１Ａは、図１の矢印Ｒで示す方向に３６０度の回転が可能である。また、フック部１１Ａは、連結端部球状体１３とフック本体部１４との間のネック部１５で外径が細くなっており、一方で前記スリット２３の幅は、ネック部１５の外径よりも広いのでネック部１５を通過させるが、連結端部球状体１３の外径およびフック本体部１４の外径よりも狭いので、両者を通過させない。従って、細径ネック部１５が前記スリット２３の間隙に沿って移動し、フック部１１Ａの振子型往復運動が可能になる。すなわち、フック部１１Ａは、図１の矢印Ｓで示す方向に１８０度の回転が可能である。
【００２３】
滑り止め部４は、前記ベース部２の取付面２５側に設けた収納室２７に収納され、その収納室２７の周縁囲み塀部２８から突出した露出部２９に、被巻付け体表面に密着させる接触面４１を有する。滑り止め部４の周縁の形状は、前記収納室２７の周縁囲み塀部２８の内壁面にほとんど間隙を残さずに収まる形状を有する。滑り止め部４は、その全体が、通常の滑り止め手段と同様の材料、すなわち、弾性変形可能な軟質材料からなり、具体的には、エラストマーやゴム材料である。
【００２４】
滑り止め部４は、特に図６（図３とは別の方向である底面側から観察した斜視図）および図７（図３のＢ−Ｂ’線断面図）に示す通り、接触面４１を含む滑り止めプレート部４３の全周縁部４５に、接触面４１の反対側方向に立設する全周フェンス部４７を有すると共に、その全周フェンス部４７の先端に、内側方向（図７の矢印Ｆの方向）に曲げて設けた全周フランジ部４８を有し、滑り止めプレート部４３と全周フェンス部４７と全周フランジ部４８との各内側表面によって全周内側嵌合溝部４９を形成する。この全周内側嵌合溝部４９には、連結プレート部６の端縁部全周５１が嵌め込まれる。前記接触面４１は、取付対象となる被巻付け体の表面形状に沿って変形させることができる。例えば、被巻付け棒状体の湾曲表面に沿って湾曲させることができる。
【００２５】
連結プレート部６は、ベース部２と滑り止め部４との間に介在し、両者を連結固定する機能を有する。連結プレート部６は、プラスチック材料などの可撓性材料からなり、特に図８（図３とは別の方向である底面側から観察した斜視図）及び図９（図３のＣ−Ｃ’線断面図）に示すように、ベース部２と接触する側の結合表面６６に、相互に平行に立設する少なくとも１対の係止小柱部６１，６１を備え、係止小柱部６１，６１の各先端に相互に離間する反対方向（図９の矢印Ｇの方向）に突出する係止突起部６３，６３を備える。また、位置合わせ用穴６７を有することができる。係止小柱部の形状は、図８および図９に示す四角柱状に限定されず、断面が円形や楕円形である円柱状や楕円柱状、あるいは断面が多角形である角柱状や、扁平な板柱状とすることができる。また、係止小柱部の数も、図示した態様での１対に限定されず、２対ないしそれ以上であることもできる。例えば、２対の係止小柱部を設ける場合には、各対のそれぞれ１本の係止小柱部が相互に隣り合うように平行に設けることができる。
【００２６】
ベース部２は、特に図３、図１０および図１１（図３のＤ−Ｄ’線断面図）に示すように、収納室２７の底面となる領域に、フック部１１Ａの挿入貫通開口部３０とドーム底部開口部３１とがスリット２３の一方の連結端部３３で相互に連絡して形成された２穴連結型開口部３２を備える。ドーム底部開口部３１は、連結端部球状体１３を球状収納室２４に収納させるために使用する開口部であり、挿入貫通開口部３０は、連結端部球状体１３を球状収納室２４に収納させ、ネック部１５をスリット２３に装着させる前に使用する開口部である。従って、滑り止め基台１を組立てた後では、挿入貫通開口部３０およびドーム底部開口部３１は使用せず、特にドーム底部開口部３１は、閉鎖して連結端部球状体１３を脱落不能に包み込んで閉じ込める必要がある。ドーム部２２は、好ましくはドーム担持面２１の略中央に位置することから、それに従って、ドーム底部開口部３１も、取付面２５の略中央に位置することが好ましい。従って、挿入貫通開口部３０は、略中央に位置するドーム底部開口部３１のいずれか一方の端部側に隣接して設けられることが好ましい。
【００２７】
挿入貫通開口部３０とドーム底部開口部３１とを用いて、連結端部球状体１３を球状収納室２４に収納させ、ネック部１５をスリット２３に装着させる方法は、後述するように、従来法と同様の方法を用いることができる。すなわち、挿入貫通開口部３０の口径が連結端部球状体１３よりも大きい場合には、連結端部球状体１３をドーム担持面２１の側から取付面２５の方向へ挿入貫通開口部３０に挿入することができる。挿入貫通開口部３０の口径が連結端部球状体１３よりも小さい場合には、フック部１１Ａの先端部１８を取付面２５の側からドーム担持面２１の方向へ挿入貫通開口部３０に挿入し、フック部１１Ａを挿入貫通開口部３０に沿って回転させて挿入することができる。
【００２８】
ドーム底部開口部３１は、フック部１１Ａの連結端部球状体１３を通過させる口径を有し、取付面２５から突出した状態で挿入貫通開口部３０に挿入された連結端部球状体１３を球状収納室２４に受け入れる際の入口となる。また、連結端部３３は挿入貫通開口部３０に挿入されたフック部１１Ａのネック部１５をスリット２３に装着させる際の入口となる。なお、前記フック部１１Ａの挿入貫通開口部３０の中心３０Ｃと前記ドーム底部開口部３１の中心３１Ｃとを結ぶ直線４０（図１０参照）を、前記スリット２３が延びる方向と略一致させることにより、フック部１１Ａのネック部１５を連結端部３３からスリット２３に円滑に装着させることができる。挿入貫通開口部３０は、通過させるフック部１１Ａ（特にフック本体部１４）の断面形状に合わせて、円形や、図１２に示すような四角形（特に正方形）であることができる。一方、ドーム底部開口部３１は、連結端部球状体１３を通過させるので、一般的には円形である。
【００２９】
２穴連結型開口部３２は、相互に対向する両端部壁面（すなわち、一方は、挿入貫通開口部３０の連結端部３３とは反対側の壁面、もう一方は、ドーム底部開口部３１の閉鎖端部３４の壁面、すなわち、連結端部３３とは反対側の壁面）に、摺動ガイド溝３５，３５を有する。摺動ガイド溝３５，３５を設けた対向する両壁面は、取付面２５の収納室２７の底面からドーム担持面２１上のストッパー溝３８，３８の手前まで、例えば、図１１に示すように、徐々に両壁面間距離を狭くする方向に傾斜しながら連続して延びていることが好ましい。この場合は、対向する両摺動ガイド溝３５，３５の底面間の距離も、徐々に狭くなる方向に傾斜しながら連続して延びることになる。なお、摺動ガイド溝３５，３５を設けた両壁面は、その両壁面間距離（および対向する両摺動ガイド溝３５，３５の底面間の距離）を等距離に保ちながら延びていることもできる。
【００３０】
係止小柱部６１，６１を備えた連結プレート部６の結合表面６６をベース部２に押し当てると、係止小柱部６１，６１の先端に設けた係止突起部６３，６３が、摺動ガイド溝３５，３５の中に入り込み、摺動ガイド溝３５，３５の中に入り込んだ状態で収納室底面側からドーム担持面側へスライドする。なお、摺動ガイド溝３５，３５を設けた対向する両壁面間距離を徐々に狭くしている場合は、可撓性材料からなる係止小柱部６１，６１が内側方向に撓みながらスライドする。
【００３１】
ベース部２を更に押し込んで係止突起部６３，６３が摺動ガイド溝３５，３５を通り抜けてドーム担持面２１まで達すると、ドーム担持面２１上にストッパー溝３８，３８が設けられているので、係止突起部６３，６３はストッパー溝３８，３８に嵌め込まれる。図８に示すように、係止小柱部６１，６１の横幅は、係止突起部６３，６３の横幅と同じ長さなので、係止突起部６３，６３がストッパー溝３８，３８に嵌め込まれると、係止小柱部６１，６１も内側方向への撓みから開放され、係止小柱部６１，６１の側面が摺動ガイド溝３５，３５の内部に入り込み、係止小柱部６１，６１の側壁面が摺動ガイド溝３５，３５の内部壁面と密着することになる。従って、係止突起部６３，６３が前記装入方向とは反対側へ戻ることは禁止される。なお、係止突起部６３，６３の横幅が、係止小柱部６１，６１の横幅よりも長くてもよく、この場合は、係止突起部６３，６３がストッパー溝３８，３８に嵌め込まれると、係止小柱部６１，６１の側壁面が、摺動ガイド溝３５，３５を設けた各壁面と密着するので、係止突起部６３，６３が前記装入方向とは反対側へ戻ることは同様に禁止される。
【００３２】
更に、係止突起部６３，６３がストッパー溝３８，３８に嵌め込まれると、連結プレート部６によって、ドーム底部開口部３１と、挿入貫通開口部３０は閉鎖される。球状収納室２４の内部に連結端部球状体１３が収納された状態で、ドーム底部開口部３１が連結プレート部６によって閉鎖されると、図１３（断面図）に示すように、連結端部球状体１３は球状収納室２４の内部に封じ込まれることになる。
【００３３】
係止小柱部６１，６１の各外側表面間距離Ｄ２（図９参照）は、摺動ガイド溝３５，３５の溝内底面間最小距離Ｅ１（図１１参照）と同距離にするか、またはそれより大きい距離にすることが好ましい。係止小柱部６１，６１の各外側表面間距離Ｄ２が、摺動ガイド溝３５，３５の溝内底面間最小距離Ｅ１よりも小さい距離の場合には、連結プレート部６をベース部２に有効に係止させることができなくなる。係止突起部６３，６３の各外側表面間距離Ｄ１（図９参照）は、摺動ガイド溝３５，３５の溝内底面間最大距離Ｅ２（図１１参照）と同距離にするか、またはそれより小さい距離にすることが好ましい。係止突起部６３，６３の各外側表面間距離Ｄ１が摺動ガイド溝３５，３５の溝内底面間最大距離Ｅ２よりも大きい距離の場合には、係止突起部６３，６３を、摺動ガイド溝３５，３５に入り込ませるのが困難になる。摺動ガイド溝３５，３５は、相互間距離が徐々に狭くなる方向に傾斜しているので、連結プレート部６をベース部２に押し込むと、係止突起部６３，６３が外側に突出している距離に応じて、係止小柱部６１，６１が内側方向に撓むことになる。
【００３４】
ベース部２の取付面２５側の収納室２７の底面に小突起部３９を設け、その小突起部３９に嵌合可能な穴６７を連結プレート部６の結合表面６６の上に設けて、連結プレート部６を収納室の所定位置に位置合わせする手段とすることができる。前記小突起部を連結プレート部６に設け、嵌合可能な穴をベース部２の取付面２５側の収納室２７の底面に設けることもできる。その他の任意の位置合わせ手段を用いることもできる。
【００３５】
次に、本発明による吊下フック具１０の組み立て方法を説明する。
最初に、滑り止め部４と連結プレート部６とを一体化させ、図１４（断面図）に示すように、滑り止めプレート部５を形成する。具体的には、滑り止め部４の全周内側嵌合溝部４９に、連結プレート部６の端縁部全周５１を嵌め込む。その際、滑り止め部４は、接触面４１を露出させ、連結プレート部６は、係止小柱部６１，６１を備える結合表面６６を外側に露出させる。一般的に、滑り止め部４は弾性変形可能な軟質材料からなり、連結プレート部６は可撓性材料からなるので、一体化は、連結プレート部６を滑り止め部４に嵌め込むだけの極めて単純で簡単な作業となり、また、この簡単な作業によって生産効率を大幅に向上させることができる。
【００３６】
一方で、従来法と同様の通常の操作で、図１４（断面図）に示すように、フック部１１Ａをベース部２に装着して、仮収納体３を形成する。具体的には、図２０（ａ）〜図２０（ｆ）に示すように、フック部１１Ａを挿入貫通開口部３０に挿入し、連結端部球状体１３がベース部２の取付面２５から突出した状態とする。続いて、連結端部球状体１３をドーム底部開口部３１から球状収納室２４に移動させながら、ネック部１５が連結端部３３を通過するように移動させ、連結端部球状体１３をベース部２の球状収納室２４に収納させ、ネック部１５をベース部２のスリット２３の間に装着させる。続いて、図１４（断面図）の矢印Ｈで示すように、前記の滑り止めプレート部５を、収納室２７に挿入する。その際、係止小柱部６１，６１の係止突起部６３，６３が摺動ガイド溝３５，３５の中をスライドするようにあてがう。連結プレート部６と収納室２７の底面とに位置合わせ手段を備えると、この操作は極めて容易になる。例えば、連結プレート部６の結合表面６６の上に設けた穴６７を、ベース部２の収納室２７の底面に設けた小突起部３９に嵌め込むと、係止突起部６３，６３が摺動ガイド溝３５，３５に嵌め込まれるように配置することができる。
【００３７】
続いて、滑り止めプレート部を押し込み、係止突起部６３，６３がドーム担持面２１のストッパー溝３８，３８に達すると同時に、滑り止めプレート部の結合表面６６が収納室２７の底面に到達する（図１３参照）。係止突起部６３，６３がストッパー溝３８，３８に嵌合すると、滑り止めプレート部を収納室２７から取り出すように引き抜く力を与えても抜け出ることはない。また、滑り止め部４は、全周内側嵌合溝部４９の部分で、連結プレート部６の端縁部全周５１によって収納室２７の底面（すなわちベース部２の取付面２５）に押さえつけられており、抜け出ることはない。更に、ドーム底部開口部３１は、連結プレート部６によって閉鎖されるので、連結端部球状体１３が球状収納室２４から外れることもない。
【００３８】
本発明は、前記図１〜図１４に沿って説明したフック具１０におけるフック部１１Ａを別の機能体に置き換えることにより、種々の取付具に適用することができる。機能体としては、例えば、吊下手段、懸下手段、係止手段、把持手段、運搬手段、保持手段、支持手段、展示手段、保存手段、または連結手段を挙げることができる。例えば、前記図１〜図１４に沿って説明したフック具１０におけるフック部１１Ａを、閉環型係止具や開閉型係止具（例えば、カラビナ）のような吊下手段、懸下手段、係止手段に置き換え、種々の吊下具、懸下具、ないし係止具とすることができる。また、図１５に示すように、ハンドル１１Ｂのような把持手段または運搬手段を用いることにより、各種の把持具、運搬具、ないし連結具とすることができ、あるいは、図１６に示すように、ホルダー１１Ｃのような保持手段、支持手段、展示手段、または保存手段を用いることにより、各種の保持具、支持具、展示具、ないし保存具とすることもできる。
【００３９】
本発明の取付具は、ベルトによって被巻付け体（特に被巻付け棒状体）に巻き付けて装着することができる。本発明に用いることのできるベルトは、被巻付け体に巻き付けて着脱自在に取り付けることのできる任意の公知手段であり、特に限定されない。代表的には、面ファスナー及び結束帯などを挙げることができる。ベルトは、従来の同種の取付具と同様に、例えば、図１〜図３に示すように、ベース部２に固着して設けてもよいし、図４に示す滑り止め基台１のベルト止め開口部１６に、着脱自在に取り付けてもよい。
【００４０】
被巻付け体は、特には棒状体を挙げることができるが、任意の公知のベルトによる巻き付け装着が可能であれば特に限定されない。被巻付け体は、代表的には、ベビーカー、シルバーカー、若しくは車椅子、又は自転車のハンドルやフレーム（特に、傾斜フレーム）、各種アウトドア製品のパイプ（特に、テント組立用の傾斜パイプ）、各種物流用製品のパイプ（特に、台車の傾斜フレーム）、電車の直立ポール、更には、各種家庭用品のパイプ（例えば、ベランダの手すりや柵、物干し竿）、病院や宿泊施設のベッドなどのポール部を挙げることができる。また、外径が大きい被巻付け体の一例を挙げれば、屋外用品、例えば、園芸用プランター、屋外ゴミ箱、または表示盤などがある。
【００４１】
念のため、本発明の取付具の具体的な使用態様を挙げると、例えば、本発明の取付具に機能体として開閉型係止具（例えば、カラビナ）を設けた場合には、本発明取付具をベルト部によってスーツケースや鞄に巻き付け、一方、機能体としての開閉型係止具（例えば、カラビナ）によって、電車やバスなどの車内ポールに係止させ、電車やバスの車内での移動の防止や盗難防止に用いることができる。また、本発明取付具をベルト部によってスーツケースや鞄の持ち手に巻き付け、一方、機能体としてのフック部を椅子の背もたれ上端に引っ掛けて、一時的に垂れ下げることもできる。更に、本発明取付具で、ベルト部または機能体により自転車用ライトを保持した状態で、機能体またはベルト部で、自転車のハンドルバーに取り付けることもできる。
【産業上の利用可能性】
【００４２】
本発明は、振子型運動および回転運動が可能な各種取付具に利用することができる。
【符号の説明】
【００４３】
１・・・滑り止め基台；２・・・ベース部；３・・・仮収納体；
４・・・滑り止め部；５・・・滑り止めプレート部；
６・・・連結プレート部；１０・・・取付具；１１・・・機能体；
１１Ａ・・・フック部；１１Ｂ・・・ハンドル；１１Ｃ・・・ホルダー；
１３・・・連結端部球状体；１４・・・フック本体部；１５・・・ネック部；
１６・・・ベルト止め開口部；１７・・・ベルト；２１・・・ドーム担持面；
２２・・・ドーム部；２３・・・スリット；２４・・・球状収納室；２５・・・取付面；
２７・・・収納室；２８・・・周縁囲み塀部；２９・・・露出部；
３０・・・機能体挿入貫通開口部；３０Ｃ・・・挿入貫通開口部の中心；
３１・・・ドーム底部開口部；３１Ｃ・・・ドーム底部開口部の中心；
３２・・・２穴連結型開口部；３３・・・連結端部；３４・・・閉鎖端部；
３５・・・摺動ガイド溝；３６・・・両端部壁面；３７・・・端部表面；
３８・・・ストッパー溝；３９・・・小突起部；４０・・・直線；４１・・・接触面；
４３・・・滑り止めプレート部；４５・・・全周縁部；４７・・・全周フェンス部；
４８・・・全周フランジ部；４９・・・全周内側嵌合溝部；５１・・・端縁部全周；
６１・・・係止小柱部；６３・・・係止突起部；６５・・・穴部；６６・・・結合表面；
６７・・・位置合わせ用穴；７０，７０Ｘ，  ７０Ｙ・・・吊下フック具７０；
７１・・・傾斜バー；７２，７２Ｘ，７２Ｙ・・・ベルト；
７３，  ７３Ｘ，７３Ｙ・・・フック部；７４・・・基台；７５・・・滑り止め手段；
７７Ｘ，７７Ｙ・・・取付面；７８・・・滑り止め小片；７９・・・収納室；
８０・・・底面；８１・・・矩形状滑り止め層；８２Ｘ，８２Ｙ・・・取付ベース部；
８５・・・ドーム担持面；８６・・・フック用保持部；
８７・・・半球状ドーム部；８８・・・スリット；８９・・・球状収納室；
９０・・・連結端部；９１・・・連結端部球状体；９２・・・フック本体部；
９３・・・ネック部；９４・・・挿入貫通開口部；９５・・・ドーム底部開口部；
９６・・・２穴連結型開口部；９７・・・閉鎖蓋部；９８・・・収納室；
９９・・・底面；
【図１】
0006352836.tif 000002
【図２】
0006352836.tif 000003
【図３】
0006352836.tif 000004
【図４】
0006352836.tif 000005
【図５】
0006352836.tif 000006
【図６】
0006352836.tif 000007
【図７】
0006352836.tif 000008
【図８】
0006352836.tif 000009
【図９】
0006352836.tif 000010
【図１０】
0006352836.tif 000011
【図１１】
0006352836.tif 000012
【図１２】
0006352836.tif 000013
【図１３】
0006352836.tif 000014
【図１４】
0006352836.tif 000015
【図１５】
0006352836.tif 000016
【図１６】
0006352836.tif 000017
【図１７】
0006352836.tif 000018
【図１８】
0006352836.tif 000019
【図１９】
0006352836.tif 000020
【図２０（ａ）】
0006352836.tif 000021
【図２０（ｂ）】
0006352836.tif 000022
【図２０（ｃ）】
0006352836.tif 000023
【図２０（ｄ）】
0006352836.tif 000024
【図２０（ｅ）】
0006352836.tif 000025
【図２０（ｆ）】
0006352836.tif 000026